(57)【要約】【課題】  調整回数による制約を受けることの少ない電子機器調整方法を提供することを目的とする。【解決手段】  複数の調整工程で得られた調整結果を内部の不揮発性メモリ１５に記憶しておき、その調整結果に基づき動作を行う電子機器を調整する電子機器調整方法において、電子機器の調整を実行してその調整結果を得る複数の調整工程１１ａ，１１ｂ，１１ｃ，…と、それら複数の調整工程によって得られた複数の調整結果を、不揮発性メモリ１５とは異なる記憶場所１４に保存する保存工１２程と、保存工程１２で保存された調整結果を不揮発性メモリ１５に記憶する記憶工程１３とを有する。【選択図】        図１
2005064402.tif 000002
【特許請求の範囲】
【請求項１】
複数の調整工程で得られた調整結果を内部の不揮発性メモリに記憶しておき、該調整結果に基づき動作を行う電子機器を調整する電子機器調整方法において、
前記電子機器の調整を実行してその調整結果を得る複数の調整工程と、
前記複数の調整工程によって得られた複数の調整結果を、前記不揮発性メモリとは異なる記憶場所に保存する保存工程と、
前記保存工程で保存された調整結果の少なくとも一部を前記不揮発性メモリに記憶する記憶工程とを有することを特徴とする電子機器調整方法。
【請求項２】
前記保存工程は、相互に関連のある複数の調整工程それぞれで得られた同種の調整結果を順次上書き保存する工程であることを特徴とする請求項１記載の電子機器調整方法。
【請求項３】
前記電子機器が、前記不揮発性メモリに記憶された調整結果を用いて被写体を撮影する電子カメラであることを特徴とする請求項１又は２記載の電子機器調整方法。
【発明の詳細な説明】
【技術分野】
【０００１】
本発明は、複数の調整工程で得られた調整結果を不揮発性メモリに記憶しておき、その調整結果に基づき動作を行う電子機器を調整する電子機器調整方法に関する。
【背景技術】
【０００２】
従来、部品が実装されたプリント基板の自動調整工程や最終製品の自動調整工程における調整結果のデータを作成し、その調整データに基づいてプリント基板や最終製品を調整する製造工程における被製造物調整管理システムが開示されている。（例えば、特許文献１参照）。
【０００３】
また、ミシンに固有の複数の設定情報をデータで外部の記憶手段に出力し、外部の記憶手段に記憶した設定固有情報を正確に情報記憶手段に書き込み、これによりミシンを修理したときの設定固有情報の復旧作業を簡単化し且つ迅速化するようにしたミシンが開示されている。（例えば、特許文献２参照）。
【特許文献１】特開平８−１３９４９０号公報（第１〜３頁、第１図）
【特許文献２】特開２０００−１８５１８４号公報（第１〜５頁、第２図）
【発明の開示】
【発明が解決しようとする課題】
【０００４】
しかし、これらの従来技術では、複数の調整工程における調整結果のデータは被製造物に内蔵されたフラッシュＲＯＭ（Ｒｅａｄ  Ｏｎｌｙ  Ｍｅｍｏｒｙ）などの不揮発メモリに書き込まれることが多いが、一般に、不揮発メモリは書込み回数に制限があるため、調整工程が多い場合には対応することができないことがある。
【０００５】
また、被製造物によっては再調整が多数回繰り返される場合もあり、不揮発メモリの耐久性の限界を超えてしまうという問題もある。
【０００６】
本発明は、上記の事情に鑑み、調整回数による制約を受けることの少ない電子機器調整方法を提供することを目的とする。
【課題を解決するための手段】
【０００７】
上記の目的を達成する本発明の電子機器調整方法は、
複数の調整工程で得られた調整結果を内部の不揮発性メモリに記憶しておき、その調整結果に基づき動作を行う電子機器を調整する電子機器調整方法において、
上記電子機器の調整を実行してその調整結果を得る複数の調整工程と、
上記複数の調整工程によって得られた複数の調整結果を、上記不揮発性メモリとは異なる記憶場所に保存する保存工程と、
上記保存工程で保存された調整結果の少なくとも一部を上記不揮発性メモリに記憶する記憶工程とを有することを特徴とする。
【０００８】
本発明の電子機器調整方法によれば、調整工程によって得られた調整結果は、不揮発性メモリとは異なる記憶場所に保存されるので、例えば、同種の調整工程が多数回繰り返されその都度調整結果の保存が行われても、最終的に調整結果が不揮発性メモリに記憶されるのは１回だけなので、不揮発性メモリの書込み回数の制限に基づく調整回数の制約を受けることは少ない。
【０００９】
ここで、上記保存工程は、相互に関連のある複数の調整工程それぞれで得られた同種の調整結果を順次上書き保存する工程であってもよい。
【００１０】
本発明の電子機器調整方法をこのように構成した場合は、同種の調整が行われた場合に、前回の調整結果に今回の調整結果が上書きされるので、保存工程における保存データ量および記憶工程における記憶データ量を減少させることができる。
【００１１】
また、上記電子機器が、上記不揮発性メモリに記憶された調整結果を用いて被写体を撮影する電子カメラであってもよい。
【００１２】
本発明の電子機器調整方法をこのように構成した場合は、調整回数による制約を受けることの少ない電子カメラの調整方法を実現することができる。
【発明の効果】
【００１３】
以上説明したように、本発明の電子機器調整方法によれば、調整工程によって得られた調整結果を、電子機器内部の不揮発性メモリとは異なる記憶場所に保存するようにしたので、不揮発性メモリとして、書込み回数に制約のあるメモリを用いても調整回数による制約を受けることの少ない電子機器調整方法を実現することができる。
【００１４】
また、本発明の電子機器調整方法を、電子カメラの調整に適用した場合は、調整回数による制約を受けることの少ない電子カメラ調整方法を実現することができる。
【発明を実施するための最良の形態】
【００１５】
以下、本発明の実施形態について説明する。
【００１６】
図１は、本発明の電子機器調整方法の各実施形態に共通する構成を示す図である。
【００１７】
本実施形態の電子機器調整方法は、複数の調整工程で得られた調整結果を電子機器内部の不揮発性メモリに記憶しておき、その調整結果に基づき動作を行う電子機器を調整する電子機器調整方法であり、図１に示すように、複数の調整工程１１ａ，１１ｂ，１１ｃ，…と、保存工程１２と、記憶工程１３とを有している。調整工程１１は、電子機器の調整を実行してその調整結果を得る工程であり、保存工程１２は、複数の調整工程１１ａ，１１ｂ，１１ｃ，…によって得られた複数の調整結果を、電子機器内部の不揮発性メモリ１５とは異なる記憶場所１４に保存する工程であり、記憶工程１３は、保存工程１２で保存された調整結果を不揮発性メモリ１５に記憶する工程である。
【００１８】
なお、この実施形態では、上記保存工程１２は、相互に関連のある複数の調整工程１１ａ，１１ｂ，１１ｃ，…それぞれで得られた同種の調整結果を順次上書き保存する工程となっている。
【００１９】
次に、本発明の電子機器調整方法を、ＣＣＤ（Ｃｈａｒｇｅ  Ｃｏｕｐｌｅｄ  Ｄｅｖｉｃｅ：電荷結合素子）上に被写体の像を結像させて画像データを得る電子カメラの調整方法に適用した場合の第１の実施形態について説明する。
【００２０】
この第１の実施形態における電子カメラは、本発明にいう電子機器の一例に相当する。
【００２１】
この電子カメラは、複雑な構造を有しているため、製造時には複数項目の調整を行う必要がある。例えば、ＣＣＤにはチップごとに出力電圧レベルのばらつきがあるので、電子カメラの製造時に、ＣＣＤの出力電圧レベルを所定のレベルに調整する必要がある。
【００２２】
このような調整は、複数の調整工程を順次実行することにより行われるが、時には、特定の項目について多数回調整が繰り返されることもある。また、電子カメラの故障修理時にもその症状に応じた調整工程が実行される。
【００２３】
図２は、第１の実施形態の電子機器調整方法により調整が行われる電子カメラおよびその調整工程を制御するパーソナルコンピュータの外観斜視図である。
【００２４】
ここでは、先ず図２を参照して、電子カメラおよびパーソナルコンピュータの一般的な構成について説明する。尚、本実施形態における本発明としての特徴は、図１に示した調整工程１１ａ，１１ｂ，１１ｃ，…、保存工程１２、および記憶工程１３にあるが、これらの各工程については後で詳細に説明する。
【００２５】
図２に示す電子カメラ１００は、図示しないＣＣＤ上に画像データを形成する電子カメラであり、この電子カメラ１００の前面には、撮影レンズ１０１ａを内部に備えたレンズ鏡胴１０１が備えられている。撮影レンズ１０１ａから入射した被写体光を、内部に配置されたＣＣＤ（図示せず）の撮影面上に結像させることにより、被写体を表す画像データが生成される。生成された画像データは、カメラ１００の内部に配備されたデータ記憶部（図示せず）に記憶される。
【００２６】
また、この電子カメラ１００の前面には、レンズ鏡胴１０１の左斜め上にフラッシュ調光窓１０２、フラッシュ調光窓１０２の左隣にフラッシュ発光窓１０３、およびレンズ鏡胴１０１の右斜め上に光学式ファインダ対物窓１０４ａが備えられている。また、電子カメラ１００の上面の右端には、シャッタレリーズボタン１０５が備えられている。
【００２７】
さらに、この電子カメラ１００の左側面の下方には、上から順に、ＵＳＢ（Ｕｎｉｖｅｒｓａｌ  Ｓｅｒｉａｌ  Ｂｕｓ）コネクタ１０６、およびＡＣアダプタ接続端子１０７が備えられている。
【００２８】
ＵＳＢは、パーソナルコンピュータと、電子カメラ、キーボード、マウス、モデムなどの周辺機器とを結ぶデータ伝送路の規格の１つである。電子カメラ１００のＵＳＢコネクタ１０６とパーソナルコンピュータ３００のＵＳＢコネクタ（図示せず）とをＵＳＢケーブル１０８で接続することにより、本実施形態の電子機器調整方法における調整工程で得られた電子カメラ１００の調整結果を、ＵＳＢ方式でパーソナルコンピュータ３００に転送することができる。  ＵＳＢコネクタ１０６は、また、写真撮影によって生成された電子カメラ１００の画像データをパーソナルコンピュータやプリンタなどの電子機器に送信する際にも使用される。
【００２９】
ＡＣアダプタ接続端子１０７は、電子カメラ１００に外部電源を供給するための電源ケーブルを接続するためのものである。
【００３０】
パーソナルコンピュータ３００は、本実施形態の電子機器調整方法により電子カメラ１００を調整する際の、電子カメラ１００による調整工程を制御するための制御装置である。パーソナルコンピュータ３００内部には、電子カメラ１００の調整結果を保存するハードディスク（後述）が内蔵されている。
【００３１】
図２に示すように、このパーソナルコンピュータ３００は、コンピュータ本体３０１、画像表示を行うディスプレイ装置３０２、操作者による指示をコンピュータ本体３０１に伝えるためのキーボード３０３、およびマウス３０４などから構成されている。
【００３２】
図３は、第１の実施形態の電子機器調整方法に用いられる電子カメラおよびパーソナルコンピュータの概要図である。
【００３３】
図３には、調整が行われる電子カメラ１００、電子カメラ１００の調整工程の制御に用いられるパーソナルコンピュータ３００、およびパーソナルコンピュータ３００と電子カメラ１００とを接続するＵＳＢケーブル１０８が示されている。この電子カメラ１００は、本発明にいう電子機器の一実施形態に相当するものである。
【００３４】
この電子カメラ１００は、撮影部６、ＣＰＵ（Ｃｅｎｔｒａｌ  Ｐｒｏｃｅｓｓｉｎｇ  Ｕｎｉｔ）１、調整用インタフェース２、出力インタフェース３、入力インタフェース４、および調整結果記憶部５を有している。
【００３５】
撮影部６は、ＣＣＤ（図示せず）を備えており、そのＣＣＤ上に被写体の像を結像させて画像データを得る撮影機能を有している。
【００３６】
ＣＰＵ１は、写真撮影時の撮影条件の設定や、複数の調整工程からなる電子カメラ各部の調整を実行する演算処理装置であり、調整工程の実行に際しては、パーソナルコンピュータ３００からの制御信号に基づき調整を実行するようになっている。
【００３７】
調整用インタフェース２は、ＣＰＵ１とパーソナルコンピュータ３００との間の制御信号の仲介するためのインタフェースであり、出力インタフェース３は、ＣＰＵ１で実行された調整結果をパーソナルコンピュータ３００に出力するためのインタフェースであり、入力インタフェース４は、パーソナルコンピュータ３００のハードディスク３０５に保存されている調整結果を電子カメラ１００に入力するためのインタフェースである。
【００３８】
調整結果記憶部５は、ＣＰＵ１による電子カメラ１００の調整が全て終了した後に、パーソナルコンピュータ３００から入力した調整結果を記憶するものであり、例えばフラッシュメモリなどの不揮発性メモリが用いられる。この調整結果記憶部５は、本発明にいう不揮発性メモリに相当するものである。
【００３９】
この電子カメラ１００は、調整結果記憶部５に保存された調整結果に基づき撮影部６による写真撮影が行われるように構成されている。
【００４０】
また、本実施形態におけるハードディスク３０５は、本発明にいう“不揮発メモリとは異なる記憶場所”の一例に相当するものである。
【００４１】
なお、電子カメラ１００とパーソナルコンピュータ３００との間は、上記のように上記調整用インタフェース２、出力インタフェース３、および入力インタフェース４の３種類の論理的インタフェースで接続されているが、これらのインタフェースは物理的には１本のＵＳＢケーブル１０８で接続されている。
【００４２】
次に、本実施形態による電子カメラ１００の調整方法について説明する。
【００４３】
パーソナルコンピュータ３００（図３参照）から電子カメラ１００の調整用インタフェース２に対して、調整工程１１ａ，１１ｂ，１１ｃ，…（図１参照）のうちのいずれか一つの調整工程の実行が指示されると、ＣＰＵ１は、指示された調整工程を実行してその調整結果を得る（調整工程１１ａ，１１ｂ，１１ｃ，…（図１参照））。
【００４４】
調整工程の実行によって得られた調整結果は、出力インタフェース３を介してパーソナルコンピュータ３００に出力され、パーソナルコンピュータ３００内のハードディスク（図示せず）に保存される（保存工程１２（図１参照））。
【００４５】
なお、パーソナルコンピュータ３００は、実行を指示した調整工程が、既に実行済みの調整工程と関連のある調整工程である場合は、パーソナルコンピュータ３００内のハードディスク３０５に保存されている前回の調整結果を読み出し、入力インタフェース４を介して電子カメラ１００に入力するとともに、調整用インタフェース２を介して電子カメラ１００に再調整の実行を指示する。
【００４６】
ＣＰＵ１は前回の調整結果と今回指示された調整内容とに基づき再調整を実行しその調整結果を出力インタフェース３を介してパーソナルコンピュータ３００に出力し、パーソナルコンピュータ３００はその調整結果をハードディスク３０５に保存する。この場合、相互に関連のある複数の調整工程それぞれで得られた同種の調整結果はハードディスク３０５に順次上書き保存される。
【００４７】
複数の調整工程のうちの最後の調整工程が終了すると、パーソナルコンピュータ３００は、全ての調整工程の調整結果を入力インタフェース４を介して電子カメラ１００に入力するとともに、調整用インタフェース２を介して全ての調整結果の調整結果記憶部５への保存を指示する。ＣＰＵ１は入力された全ての調整結果を調整結果記憶部５に記憶する（記憶工程１３（図１参照））。
【００４８】
このように、本実施形態の電子機器調整方法によれば、調整工程によって得られた調整結果を、電子カメラ１００内の調整結果記憶部５とは異なるパーソナルコンピュータ３００のハードディスク３０５に一時的に保存するようになっているので、調整結果記憶部５に書込み回数に制約のある不揮発性メモリを用いても調整工程の回数の制約を受けることの少ない状態で電子カメラの調整を行うことができる。
【００４９】
次に、本発明の電子機器調整方法の第２の実施形態について説明する。
【００５０】
図４は、第２の実施形態の電子機器調整方法に用いられる電子カメラおよびパーソナルコンピュータの概要図である。
【００５１】
図４に示すように、第２の実施形態における電子カメラ２００は、第１の実施形態における電子カメラ１００とは異なり、メモリカード３０を装着するためのメモリカードコネクタ２９を備えている。
【００５２】
また、第２の実施形態におけるパーソナルコンピュータ３１０には、第１の実施形態におけるパーソナルコンピュータ３００とは異なり、電子カメラの調整結果を一時保存するための“不揮発性メモリとは異なる記憶場所”を特別に備える必要はない。この記憶場所以外は第１の実施形態におけるパーソナルコンピュータ３００と同様である。
【００５３】
また、第２の実施形態では、ＵＳＢケーブル１０８は、パーソナルコンピュータ３１０と調整用インタフェース２２とのみを接続するように構成されており、出力インタフエース２３および入力インタフェース２４は、直接パーソナルコンピュータ３１０に接続される代わりに、メモリカードコネクタ２９を介してメモリカード３０に接続されている。
【００５４】
すなわち、この第２の実施形態では、調整工程で得られた調整結果はメモリカード３０に一旦保存されるという点のみが、第１の実施形態と相違している。
【００５５】
なお、このメモリカード３０は、本発明にいう“不揮発性メモリとは異なる記憶場所”の一例に相当するものであり、例えばスマートメディア（登録商標）やコンパクトフラッシュ（登録商標）などを用いることができる。
【００５６】
出力インタフェース２３および入力インタフェース２４は、接続先が出力インタフェース３、入力インタフェース４と相違しているが、その動作は本質的に出力インタフェース３、入力インタフェース４と同様である。
【００５７】
撮影部２６、ＣＰＵ２１、調整用インタフェース２２、および調整結果記憶部２５は、第１の実施形態における撮影部６、ＣＰＵ１、調整用インタフェース２、および調整結果記憶部５と同様である。
【００５８】
このように、本実施形態の電子機器調整方法によれば、調整工程によって得られた調整結果を、電子カメラ１００内の調整結果記憶部５とは異なるメモリカード３０に保存するようにしたので、調整結果記憶部５に、書込み回数に制約のあるフラッシュメモリなどの不揮発性メモリを用いても調整工程の回数の制約を受けることの少ない状態で電子カメラを調整することができる。
【００５９】
また、この第２の実施形態では、パーソナルコンピュータ３１０に、電子カメラの調整結果を保存するためのハードディスクを備える必要がない。
【図面の簡単な説明】
【００６０】
【図１】本発明の電子機器調整方法の各実施形態に共通する構成を示す図である。
【図２】第１の実施形態の電子機器調整方法により調整が行われる電子カメラおよびその調整工程を制御するパーソナルコンピュータの外観斜視図である。
【図３】第１の実施形態の電子機器調整方法に用いられる電子カメラおよびパーソナルコンピュータの概要図である。
【図４】第２の実施形態の電子機器調整方法に用いられる電子カメラおよびパーソナルコンピュータの概要図である。
【符号の説明】
【００６１】
１    ＣＰＵ
２，２２    調整用インタフェース
３，２３    出力インタフェース
４，２４    入力インタフェース
５，２５    調整結果記憶部
６，２６    撮影部
１１ａ，１１ｂ，１１ｃ，…調整工程
１２    保存工程
１３    記憶工程
１４    記憶場所
１５    不揮発性メモリ
２９    メモリカードコネクタ
３０    メモリカード
１００，２００    電子カメラ
１０１    レンズ鏡胴
１０１ａ    撮影レンズ
１０２    フラッシュ調光窓
１０３    フラッシュ発光窓
１０４ａ    光学式ファインダ対物窓
１０５    シャッタレリーズボタン
１０６    ＵＳＢコネクタ
１０７    ＡＣアダプタ接続端子
１０８    ＵＳＢケーブル
３００，３１０    パーソナルコンピュータ
３０１    コンピュータ本体
３０２    ディスプレイ装置
３０３    キーボード
３０４    マウス
３０５    ハードディスク
【図１】
2005064402.tif 000003
【図２】
2005064402.tif 000004
【図３】
2005064402.tif 000005
【図４】
2005064402.tif 000006